(57)【要約】【課題】太陽電池付き電子時計において、外光をムーブメントの外周面に配置された太陽電池に導く導光部材を外装ケース内に確実に保持し、風防との干渉を防止すること。【解決手段】外装ケース２と、外装ケース２に収容され、外周面に太陽電池８１が配置されたムーブメント８と、ムーブメント８の上面に設けられた文字板５と、ムーブメント８及び文字板５を囲繞し、外部の光線を内部に導入する入射面７０が内周面に形成され、導入された光線を下方に反射する第１の反射面７１と、光線を太陽電池８１に向けて反射する第２の反射面７２が外周面に形成され、第１の反射面７１から半径方向外側に突き出し、外装ケース２に接触する上面及び外周面を備えた複数の支持凸部７４を備えた導光部材７と、を有する太陽電池付き電子時計１。【選択図】図２
2015169573.tif 000002
【特許請求の範囲】
【請求項１】
外装ケースと、
前記外装ケースに収容され、外周面に太陽電池が配置されたムーブメントと、
前記ムーブメントの上面に設けられた文字板と、
前記ムーブメント及び前記文字板を囲繞し、外部の光線を内部に導入する入射面が内周面に形成され、導入された前記光線を下方に反射する第１の反射面と、前記光線を前記太陽電池に向けて反射する第２の反射面が外周面に形成され、前記第１の反射面から半径方向外側に突き出し、前記外装ケースに接触する上面及び外周面を備えた複数の支持凸部を備えた導光部材と、
を有する太陽電池付き電子時計。
【請求項２】
少なくとも１の前記支持凸部の前記上面には、前記導光部材を射出成型する際のゲートが形成される請求項１記載の太陽電池付き電子時計。
【請求項３】
前記ゲートは複数形成され、隣接する前記ゲートの中間となる位置に前記支持凸部が形成される請求項２記載の太陽電池付き電子時計。
【請求項４】
少なくとも１の前記支持凸部の直下となる位置において、前記導光部材を射出成型する際の抜き出しピンが当接する平面を備え、前記第２の反射面を切り欠く切り欠きが形成される請求項１〜３のいずれかに記載の太陽電池付き電子時計。
【請求項５】
前記外装ケースの側面には巻真パイプが設けられ、
前記導光部材の外周面には、周方向について前記巻真パイプを挟み込む凹部が形成される請求項１〜４のいずれかに記載の太陽電池付き電子時計。
【請求項６】
前記凹部は、隣接する前記支持凸部により形成される請求項５に記載の太陽電池付き電子時計。
【請求項７】
前記文字板には、時字が設けられ、
前記支持凸部は、前記時字と対応するクロックポジションに配置される請求項１〜６のいずれかに記載の太陽電池付き電子時計。
【請求項８】
前記入射面はハーフミラーである請求項７に記載の太陽電池付き電子時計。
【請求項９】
前記入射面に時字が設けられ、
前記支持凸部は、前記時字と対応するクロックポジションに配置される請求項１〜６のいずれかに記載の太陽電池付き電子時計。
【発明の詳細な説明】
【技術分野】
【０００１】
本発明は、太陽電池付き電子時計に関する。
【背景技術】
【０００２】
腕時計等の小型の太陽電池付き電子時計において、太陽電池を文字板下に配置した場合には、文字板に光線透過能を持たせる必要があり、その材質や意匠に制約を生じる。そこで、太陽電池を時計の盤面の外周に配置し、適宜の光学部材を使用して光線を太陽電池に導く構成が提案されている。
【０００３】
特許文献１には、時計の文字板の適宜位置に設けた透過部を透過した入光を反射板で屈折させ、針駆動ムーブメントの外周に配設したソーラーセルに受光せしめる太陽電池付時計の構造が示されている。
【０００４】
特許文献２には、帯状の太陽電池を外胴の内壁に沿ってリング上に配設する電子時計において、文字板の全外周に亘って環状のプリズムを設けたものが示されている。同文献のプリズムは、底面を時計ムーブメントの段差部に当設させ、光出力面を外胴のガラス保持庇部に当設させ、さらに反射面を文字板補助リングに当設させることにより外胴内に保持される。
【先行技術文献】
【特許文献】
【０００５】
【特許文献１】実開昭６２−１６４９１号公報
【特許文献２】特開２００６−３１３１０３号公報
【発明の概要】
【発明が解決しようとする課題】
【０００６】
本発明の課題は、太陽電池付き電子時計において、外光をムーブメントの外周面に配置された太陽電池に導く導光部材を外装ケース内に確実に保持し、風防との干渉を防止することである。
【課題を解決するための手段】
【０００７】
上記課題を解決すべく本出願において開示される発明は種々の側面を有しており、それら側面の代表的なものの概要は以下のとおりである。
【０００８】
（１）外装ケースと、前記外装ケースに収容され、外周面に太陽電池が配置されたムーブメントと、前記ムーブメントの上面に設けられた文字板と、前記ムーブメント及び前記文字板を囲繞し、外部の光線を内部に導入する入射面が内周面に形成され、導入された前記光線を下方に反射する第１の反射面と、前記光線を前記太陽電池に向けて反射する第２の反射面が外周面に形成され、前記第１の反射面から半径方向外側に突き出し、前記外装ケースに接触する上面及び外周面を備えた複数の支持凸部を備えた導光部材と、を有する太陽電池付き電子時計。
【０００９】
（２）（１）において、少なくとも１の前記支持凸部の前記上面には、前記導光部材を射出成型する際のゲートが形成される太陽電池付き電子時計。
【００１０】
（３）（２）において、前記ゲートは複数形成され、隣接する前記ゲートの中間となる位置に前記支持凸部が形成される太陽電池付き電子時計。
【００１１】
（４）（１）〜（３）のいずれかにおいて、少なくとも１の前記支持凸部の直下となる位置において、前記導光部材を射出成型する際の抜き出しピンが当接する平面を備え、前記第２の反射面を切り欠く切り欠きが形成される太陽電池付き電子時計。
【００１２】
（５）（１）〜（４）のいずれかにおいて、前記外装ケースの側面には巻真パイプが設けられ、前記導光部材の外周面には、周方向について前記巻真パイプを挟み込む凹部が形成される太陽電池付き電子時計。
【００１３】
（６）（５）において、前記凹部は、隣接する前記支持凸部により形成される請求項５に記載の太陽電池付き電子時計。
【００１４】
（７）（１）〜（６）のいずれかにおいて、前記文字板には、時字が設けられ、前記支持凸部は、前記時字と対応するクロックポジションに配置される太陽電池付き電子時計。
【００１５】
（８）（７）において、前記入射面はハーフミラーである太陽電池付き電子時計。
【００１６】
（９）（１）〜（６）のいずれかにおいて、前記入射面に時字が設けられ、前記支持凸部は、前記時字と対応するクロックポジションに配置される請求項１〜６のいずれかに記載の太陽電池付き電子時計。
【発明の効果】
【００１７】
上記（１）の側面によれば、太陽電池付き電子時計において、外光をムーブメントの外周面に配置された太陽電池に導く導光部材を外装ケース内に確実に保持し、風防との干渉を防止することができる。
【００１８】
上記（２）の側面によれば、ゲートが形成されることに起因する導光部材の光学性能の低下を最小限に留めることができる。
【００１９】
上記（３）の側面によれば、射出成型時に形成されるいわゆるウェルドラインに起因する導光部材の光学性能の低下を最小限に留めることができる。
【００２０】
上記（４）の側面によれば、抜き出しピンが当接する平面が形成されることに起因する導光部材の光学性能の低下を最小限に留めることができる。
【００２１】
上記（５）の側面によれば、外装ケース内における導光部材の回転を防止することができる。
【００２２】
上記（６）の側面によれば、外装ケース内における導光部材の回転をより確実に防止することができる。
【００２３】
上記（７）又は（９）の側面によれば、支持凸部が形成されることによる外観上の変化を視認しづらくすることができる。
【００２４】
上記（８）の側面によれば、支持凸部が形成されることによる外観上の変化をより視認しづらくすることができる。
【図面の簡単な説明】
【００２５】
【図１】本発明の実施形態に係る太陽電池付き電子時計の平面図である。
【図２】本発明の実施形態に係る太陽電池付き電子時計の分解斜視図である。
【図３】太陽電池付き電子時計の２時の方向における部分断面図である。
【図４】太陽電池付き電子時計の１時の方向における部分断面図である。
【図５】太陽電池付き電子時計の７時の方向における部分断面図である。
【図６】太陽電池付き電子時計の３時の方向における部分断面図である。
【図７】射出成形により成形中の金型内部における導光部材を示す斜視図である。
【図８】１時方向断面における成形中の導光部材を示す断面図である。
【図９】射出成形により成形中の金型内部における導光部材に抜き出しピンが等接している様子を示す斜視図である。
【図１０】７時方向断面における成形中の導光部材７を示す断面図である。
【図１１】文字板と、導光部材との関係を示す斜視図である。
【図１２】本実施形態の変形例を示す導光部材の斜視図である。
【発明を実施するための形態】
【００２６】
図１は、本発明の実施形態に係る太陽電池付き電子時計１の平面図である。この実施形態では、太陽電池付き電子時計１を腕時計として示したが、小型携帯式のものであれば他の形式、例えば懐中時計であっても差し支えない。
【００２７】
太陽電池付き電子時計１の外装ケース２の１２時位置と６時位置にはバンド取付部３が設けられている。また、太陽電池付き電子時計１の３時側側面には、竜頭４が設けられている。なお、同図中において、太陽電池付き電子時計１の１２時方向は図中上方向であり、６時方向は図中下方向となっている。なお、ここで外装ケース２は、後述するムーブメント等を収容する略円筒形の開口を有する胴と、当該開口の一方の面を閉じる裏蓋よりなる。外装ケース２の材質は特に限定されないが、一般に各種の金属やセラミック、合成樹脂が選択される。胴の他方の開口は、後述する風防により閉じられる。また、胴は単一の部材によるものであっても、複数の部材を組み合せたものであってもよい。
【００２８】
電子時計１は図示のとおり指針式であり、時針、分針、秒針が電子時計１の中央位置を回転中心として、同軸に設けられている。なお、本実施形態では秒針が時針と同軸となっているが、クロノグラフ型の時計のように、秒針をいわゆるクロノ針に置き換え、秒針を副針として任意の位置に配置してもよい。文字板５上の毎正時位置には、時字６が設けられている。時字６の構造は特に限定されず、文字板５上に印刷したものであってもよいし、文字板５上に適宜の部材、例えば金属部材を固定したものであってもよい。また、時字６はここでは毎正時の位置となる１２か所に設けられているが、この配置は任意であり、例えば１２時、３時、６時及び９時の４か所としたり、他の配置としてもよい。さらに文字板５上に他の表示や刻印、例えば分目盛を設けたり、製造者や生産国を示す表示を設けることは任意である。
【００２９】
さらに、文字板５を囲繞するように、導光部材７が設けられる。導光部材７は、一般に腕時計において見返しリングと称される部材に該当する位置に設けられており、外見上も見返しリングに見えるよう配慮されている。導光部材７の詳細については後述するが、導光部材７は透明材料製であり、外光を導光部材７内部を通過させ、太陽電池付き電子時計１内部へと導く機能を有している。
【００３０】
ここで、以降の各部材の配置位置を説明する際に、本明細書ではクロックポジションを用いる場合がある。一般にクロックポジションは、方位を時計の盤面になぞらえて表現するものであるが、本明細書においてもクロックポジションを方位を表現するものとして使用する。すなわち、太陽電池付き電子時計１の時針の回転中心からみた特定の方位（向き）をクロックポジションにて表現する。例えば、１時の方位、といった場合には、時針の回転中心からみて、時針が１時を指し示す方位を意味するものとする。
【００３１】
図２は、本実施形態に係る太陽電池付き電子時計１の分解斜視図である。太陽電池付き電子時計１は、外装ケース２である胴２０と裏蓋２１内に、導光部材７、文字板５、ムーブメント８、導光部材支持部材９がこの順に収容されている。なお、本明細書では、ムーブメント８に対し文字板５が設けられる向きを上、その逆となるムーブメント８に対し裏蓋２１が設けられる向きを下と呼び、上を向く面を上面、下を向く面を下面と呼ぶ。
【００３２】
胴２０の上面の開口にはガラス等の透明部材製の風防２２が設けられ、胴２０の側面の３時の方位にはムーブメント８から延びる巻真８０が貫通する巻真パイプ２３が圧入固定されている。
【００３３】
文字板５は、ムーブメント８の上面に設けられており、その表面には時字６を始めとする各種の表示が設けられる。文字板５は、ムーブメント８に対し回転しないよう適宜の方法により位置決めして配置される。
【００３４】
ムーブメント８は、指針を駆動するための輪列とモータ、時刻を計時する水晶振動子を含む時計回路、動力源となる適宜の二次電池と、外光を利用して電力を生成するための太陽電池８１、及び太陽電池付き電子時計１全体を制御するコントローラ等を地板と呼ばれる枠に一体に組み付けたものである。本実施形態では、太陽電池８１は、ムーブメント８の外周面に巻真８０が設けられている位置、ここでは３時の方向を除いて巻き付けられるように配置されている。太陽電池８１は、短冊状のＰＥＴ（ポリエチレンテレフタレート）等の可撓性のある基材上に電極層と半導体層を積層したものであり、ムーブメント８の外周面に接着或いは、適宜の機械的支持等任意の方法により取り付けられている。
【００３５】
導光部材７は、文字板５及びムーブメント８の外周を囲繞するリング形状の部材であり、上述した通り、太陽電池付き電子時計１の盤面に入射する外光を、ムーブメント８の外周面に設けられた太陽電池８１まで導く光学部材である。導光部材７は、成形可能な透明の合成樹脂、例えばＰＭＭＡ（ポリメチルメタクリレート）やＰＣ（ポリカーボネート）を射出成形することにより製造される。
【００３６】
導光部材７は、内周面に外光を内部に導入する入射面７０、外周面に入射した光線を下方に反射する第１の反射面７１とさらに光線を太陽電池８１に向けて反射する第２の反射面７２、太陽電池８１と正対し、光線を出射する出射面７３を有している。また、第１の反射面７１には、半径方向外側に突き出す支持凸部７４が複数、ここでは、１時、３時、５時、７時、９時及び１１時の方向に３０°間隔で設けられている。３時の方向の支持凸部７４は、図示のように２つの支持凸部７４が他の支持凸部７４に対する間隔と比して短い間隔で隣接して配置されている。そのため、本実施形態では、支持凸部７４は合計で７か所に設けられている。
【００３７】
さらに、第２の反射面７２には、３時、７時及び１１時の方向に切り欠き７５が設けられる（１１時の方向の切り欠きは図２では見えない）。切り欠き７５は、７時及び１１時の方向におけるもののように、支持凸部７４の直下に設けられるか、３時の方向におけるもののように、巻真８０が通過する位置に設けられる。
【００３８】
また、導光部材７の外周面の３時の方向には、半径方向に窪む凹部７８が設けられる。凹部７８は、隣接する支持凸部７４に挟まれるように形成されている。
【００３９】
導光部材支持部材９は、図に示されたようにリング状の部材であり、内周側上面に、導光部材７の第２の反射面７２と同形状の支持面９１が形成されている。導光部材支持部材９は、支持面９１により導光部材７を保護し、外装ケース２内部で動くことが無いよう支持する。導光部材支持部材９は、任意の合成樹脂、例えば、ＰＥＴやＰＥ（ポリエチレン）、ＰＰ（ポリプロピレン）、ＰＯＭ（ポリアセタール）等により形成してよい。導光部材支持部材９の３時の方向の上面には、切り欠き９２が形成されている。
【００４０】
図３は、太陽電池付き電子時計１の２時の方向における部分断面図である。同図に示すように、太陽電池付き電子時計１の組み立て状態において、導光部材７の入射面７０は文字板５の上方に配置され、上に向かって開くように傾斜する傾斜面となっている。また、第１の反射面７１はその大部分が文字板５の上方に配置され、上に向かって閉じるように傾斜する傾斜面となっている。さらに、第２の反射面７２は文字板５の下方に配置され、下に向かって閉じるように傾斜する傾斜面である。なお、本実施形態では第２の反射面７２は途中で傾斜角が変化する段つきの傾斜面となっているが、これは必ずしも必須の構成でなく、傾斜角一定の円錐面であってもよい。また、入射面７０、第１の反射面７１及び第２の反射面７２の断面形状は必ずしも直線または複数の連続する直線でなくともよく、曲線としてもよい。
【００４１】
ここで、外光が矢印Ａに示すように風防２２を通過して入射面７０に入射すると、矢印Ｂに示すように光線は第１の反射面７１により下方に向けて反射され、さらに第２の反射面７２により太陽電池８１に向けて反射され、出射面７３より出射して太陽電池８１へと導かれる。このようにして、導光部材７は入射面７０に入射した外光を太陽電池８１へと導くのである。
【００４２】
本実施形態では、導光部材７は第１の反射面７１と第２の反射面７２との間に円筒面である中間面７６が設けられているが、中間面７６は必ずしも必要でなく、第１の反射面７１と第２の反射面７２が直接隣接するようにしてもよい。また、風防に向き合う上面７７が入射面７０に隣接して設けられているが、上面７７から入射した外光についても同様の作用により太陽電池８１へと導かれる。第１の反射面７１、第２の反射面７２及び中間面７６には、光線を効率よく反射するため、反射膜が設けられる。反射膜は、例えばアルミニウム等の金属を蒸着することにより形成される。また、入射面７０及び上面７７には、好ましくは半透過膜が設けられ、いわゆるハーフミラーとされる。これは、入射面７０又は上面７７から内部の構造、特に太陽電池８１が視認されることによる意匠性の低下を防ぐためである。半透過膜もまた、アルミニウム等の金属を蒸着することにより形成してよい。
【００４３】
導光部材７の第２の反射面７２は、導光部材支持部材９の支持面９１と接触し保持される。導光部材支持部材９は、裏蓋２１により上下方向位置が固定される。
【００４４】
図４は、太陽電池付き電子時計１の１時の方向における部分断面図である。なお、図４ではバンド取付部３は省略されている。同図では、導光部材７の支持凸部７４の断面が示されており、支持凸部７４は上面７４ａと外周面７４ｂを有している。そして、支持凸部７４の上面７４ａは、胴２０の上部において内周側に延びる庇２４の下面に接触し、導光部材７の上下方向の位置を確定する。そして、支持凸部７４の外周面７４ｂは、胴２０の内周面に接触し、導光部材７の水平方向の位置を確定する。このようにして、導光部材７は、上方向への位置は支持凸部７４の上面７４ａが胴２０の庇２４の下面に接触することにより、下方向への位置は第２の反射面７２が導光部材支持部材９の支持面９１に支持されることにより、左右方向への位置は支持凸部７４の外周面７４ｂが胴２０の内周面に接触することによりそれぞれ決定され、外装ケース２内での導光部材７の位置が確実に決められ、保持される。
【００４５】
また、このとき、導光部材７の上方向への位置が外装ケース２との接触により定められるため、導光部材７の上面７７が風防２２に突き当たることが無い。そのため、導光部材７の上面７７と風防２２とが接触することによる干渉縞の発生や、外部より衝撃を受けた際に導光部材７が風防２２を突きあげることによる風防２２の脱落が防止される。
【００４６】
図５は、太陽電池付き電子時計１の７時の方向における部分断面図である。なお、図５ではバンド取付部３は省略されている。同図では、導光部材７の支持凸部７４及び切り欠き７５の断面が示されている。切り欠き７５は支持凸部７４の直下に形成され、水平方向（すなわち、上下方向と直交する方向。文字板５と平行な方向でもある）の平面７５ａが形成されている。平面７５ａが設けられる技術的意味については後述するが、ここで、支持凸部７４が設けられているクロックポジションにおいては、第１の反射面７１が存在しないため、第１の反射面７１より入射した外光は太陽電池８１まで導きづらく、少なくとも支持凸部７４が設けられていない部分に比して光線の利用効率は低い。同時に、切り欠き７５が設けられているクロックポジションにおいても同様に、第２の反射面７２が存在しないため、切り欠き７５が設けられていない部分に比して光線の利用効率は低くなる。そこで、切り欠き７５を支持凸部７４の直下、すなわち、支持凸部７４と同じクロックポジションに設けることにより、光線の利用効率が低い部分の増加を抑え、切り欠き７５を設けることによる導光部材７全体としての光線の利用効率の低下を抑えているのである。なお、ここで光線の利用効率とは、入射面７０に入射した光線のうち、太陽電池８１まで導かれる光線の割合をいうものとする。
【００４７】
図６は、太陽電池付き電子時計１の３時の方向における部分断面図である。同図では、竜頭４は省略されている。図に示すように、ムーブメント８から延びる巻真８０は、導光部材７の切欠き７５を通過し、胴２０に設けられ、胴２０の内周面に突出する巻真パイプ２３内を貫通して外方に突き出している。そして、胴２０の内側にある巻真パイプ２３の先端面は、導光部材７の凹部７８に収容されている。このとき、凹部７８は図２を参照すると明らかなように、導光部材７の半径方向に突き出す支持凸部７４に周方向に挟まれるように設けられており、その幅は概ね巻真パイプ２３の外形と等しいものとされるため、巻真パイプ２３は凹部７８により導光部材７の周方向に挟み込まれることになる。これにより、導光部材７の回転方向の位置が巻真パイプ２３により定められ、回転不能に外装ケース２内に保持される。また、導光部材支持部材９に設けられた切欠き９２により、導光部材支持部材９と巻真パイプ２３、或いは巻真８０との干渉が回避される。
【００４８】
なお、凹部７８は必ずしも隣接する支持凸部７４により形成されずともよいが、支持凸部７４を利用して凹部７８を設けることにより、巻真パイプ２３をより確実に挟み込むことができる。
【００４９】
ところで、導光部材７はその形状が比較的複雑であることもあり、合成樹脂による射出成形により作成することが望ましい。このとき、射出成形に用いる金型内に溶融した樹脂を注入する注入口となるゲートの位置及び、固化した成形品を金型から抜き出す際に突き当てる抜き出しピンの位置をどのようにするかが問題となる。
【００５０】
すなわち、導光部材７は上述した通り光学部材であるところ、射出成型時のゲートとなった位置には合成樹脂の切断痕が、また抜き出しピンを突き当てた位置にはピンの痕が残存することとなるため、かかる痕が導光部材７の光学性能に影響を与える恐れがあると考えられるためである。
【００５１】
図７は、射出成形により成形中の金型内部における導光部材７を示す斜視図である。同図に示すように、溶融した合成樹脂を注入するゲート３０は、導光部材７の支持凸部７４の上面７４ａに設けられる。本実施形態では、ゲート３０は、１時、５時及び９時の方向の３か所に設けられている。
【００５２】
図８は、１時方向断面における成形中の導光部材７を示す断面図である。図示のように、ゲート３０から注入された合成樹脂は金型３１の内部の空間に充填され、導光部材７を形作る。金型３１への充填後、冷却して固化した後、導光部材７は金型３１から分離される。このとき、ゲート３０の位置において固化した合成樹脂を切断するため、支持凸部７４の上面７４ａにはゲート痕が残存することとなるが、すでに説明した通り、そもそも支持凸部７４はその光線の利用効率が、支持凸部７４が設けられていない部分に比して低いため、ゲート痕が残存することによる影響は、導光部材７全体の光線の利用効率に対しほとんど影響を与えないのである。
【００５３】
さらに、図７に示されているように、隣接するゲート３０が形成される支持凸部７４の中間となる位置には、別の支持凸部７４が形成される。例えば、１時方向にあるゲート３０と、９時方向にあるゲート３０との中間となる位置である１１時方向にも支持凸部７４が形成され、かかる支持凸部７４にはゲート３０は設けられていない。
【００５４】
射出成型の際に１時方向のゲート３０から流入した合成樹脂の一部は、図中矢印Ｃで示すように１１時方向に向かって流動し、また、９時方向のゲート３０から流入した合成樹脂の一部は、図中矢印Ｄで示すように１１時方向に向かって流動する。その結果、両者は概ねその中間となる位置である１１時の位置で接触する。このとき、合成樹脂同士の表面が接触した位置にはいわゆるウェルドラインと呼ばれる線状痕が発生するが、このウェルドラインもまた導光部材７の光学性能に影響を与える可能性がある。そこで、本実施形態のように、ウェルドラインが形成されると見込まれる位置に支持凸部７４を形成することにより、導光部材７全体の光線の利用効率に対する影響を最小限のものとすることができるのである。７時位置についても同様であり、３時位置については、ウェルドラインが形成されると見込まれる位置に切り欠き７５が形成されている。
【００５５】
さらに、図９は、射出成形により成形中の金型内部における導光部材７に抜き出しピン３２が当接している様子を示す斜視図である。同図に示すように、抜き出しピン３２は、導光部材７の切り欠き７５内にさし込まれ、平面７５ａに当接している。本実施形態では、抜き出しピン３２は、切り欠き７５と同じく３時、７時及び１１時の方向に配置される。
【００５６】
図１０は、７時方向断面における成形中の導光部材７を示す断面図である。金型３１内部に形成された導光部材７の平面７５ａに抜き出しピン３２の頂面が当接している。そして、平面７５ａは水平方向の平面であるため、導光部材７の冷却固化後、まず上側の金型３１を取り除き、続いて抜き出しピン３２を上方に突きあげて平面７５ａを押し上げることにより、導光部材７を下側の金型３１から抜き出し取り外す。このとき、平面７５ａは切り欠き７５を形成する面の一部であり、さらに切り欠き７５は支持凸部７４の直下に形成されるため、抜き出しピン３２が設けられる位置もまた、支持凸部７４の直下となる。そのため、抜き出しピン３２の痕はそもそも光線の利用効率が低い支持凸部７４が設けられた部分に発生することとなるから、抜き出しピン３２の痕が残存することによる影響は、導光部材７全体の光線の利用効率にほとんど影響を与えないのである。なお、平面７５ａを設ける理由は、抜き出しピン３２により直接傾斜面、例えば第２の反射面７２を押し上げるのは困難であるためである。
【００５７】
また、図２を参照すると明らかなように、導光部材７の支持凸部７４は、文字板５の外周部に配置される時字６と対応するクロックポジションに配置される。すなわち、本実施形態のように時字６が毎正時について配置されている場合には、支持凸部７４もまたいずれかの正時となる方向に配置することが望ましい。
【００５８】
このことを図１１を参照して説明する。図１１は、文字板５と、導光部材７との関係を示す斜視図である。図のように、文字板５を覗き込んだときには、導光部材７の入射面７０に、時字６の反射像６０が映り込む。この反射像６０は、時字６と対応するクロックポジション、本実施形態では毎正時方向に現れる。一方、導光部材７の入射面７０の視認像は、支持凸部７４が存在する位置では、他の部分に比べて光線の挙動が異なるため若干色目が異なって見える可能性がある。このとき、支持凸部７４が時字６と対応するクロックポジションに配置される場合には、支持凸部７４が存在することによる入射面７０の外見上の変化は、反射像６０により覆い隠されてしまい、殆ど気付かれることはない。従って、支持凸部７４を時字６と対応するクロックポジションに配置することにより、導光部材７の外観上の違和感を低減することができるのである。
【００５９】
なお、前述したように、導光部材７の入射面７０が半透過膜が形成されたハーフミラーとされている場合には、反射像６０が明確に入射面７０に映るため、より導光部材７の外観上の違和感は低減される。
【００６０】
図１２は、本実施形態の変形例を示す導光部材７の斜視図である。この変形例では、導光部材７の入射面７０の毎正時位置に時字６が設けられており、支持凸部７４は、かかる時字６と対応するクロックポジションに配置される。この場合には、支持凸部７４が存在することによる外見上の変化は、時字６により直接覆い隠され、先の実施形態と同様に殆ど気付かれることはない。なお、時字６は、必ずしも正時を示す表示でなくともよく、種々の太陽電池付き電子時計１に関するインジケーター、例えばタキメーター目盛等であってもよい。また、時字６は入射面７０に適宜の部材を固定することにより設けられても、入射面７０に印刷や刻印を施すことによって設けられてもよい。
【００６１】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【００６２】
１  電子時計、２  外装ケース、３  バンド取付部、４  竜頭、５  文字板、６  時字、７  導光部材、８  ムーブメント、９  導光部材支持部材、２０  胴、２１  裏蓋、２２  風防、２３  巻真パイプ、３０  ゲート、３１  金型、３２  抜き出しピン、６０  反射像、７０  入射面、７１  第１の反射面、７２  第２の反射面、７３  出射面、７４  支持凸部、７４ａ  上面、７４ｂ  外周面、７５  切り欠き、７５ａ  平面、７６  中間面、７７  上面、７８  凹部、８０  巻真、８１  太陽電池、９１  支持面。
【図１】
2015169573.tif 000003
【図２】
2015169573.tif 000004
【図３】
2015169573.tif 000005
【図４】
2015169573.tif 000006
【図５】
2015169573.tif 000007
【図６】
2015169573.tif 000008
【図７】
2015169573.tif 000009
【図８】
2015169573.tif 000010
【図９】
2015169573.tif 000011
【図１０】
2015169573.tif 000012
【図１１】
2015169573.tif 000013
【図１２】
2015169573.tif 000014